(57)【特許請求の範囲】
【請求項１】
電気−音響変換素子を内蔵したハウジングと、
一端が前記電気−音響変換素子に接続され他端が入力プラグに接続された入力コードと、
前記ハウジングに内蔵され前記入力コードを前記ハウジング内部に巻き取るように付勢した巻き取り手段と、
前記巻き取り手段に併設され前記入力コードの前記巻き取り手段からの引き出しを許容しかつ前記巻き取り手段による前記入力コードの前記ハウジング内部への巻き取りを防ぐように係止する係止手段と、
前記入力コードの入力プラグを保持する保持手段とを備え、
前記保持手段に前記入力コードの入力プラグを保持させるべく挿入する動作に連動して前記係止手段を解除することによって前記巻き取り手段が前記入力コードを前記ハウジング内部に巻き取るように構成したことを特徴とするコード巻き取り装置付きヘッドホン。
【請求項２】
前記保持手段は、保持ばねを有し、入力プラグの先端近傍の小径部を保持するように構成したことを特徴とする請求項１記載のコード巻き取り装置付きヘッドホン。
【発明の詳細な説明】
【０００１】
【発明の属する技術分野】
本発明は入力コードをハウジング内に巻き取るコード巻き取り装置のついたヘッドホンに関し、さらに詳しくは前記コード巻き取りに際してコードや特にプラグによってけがを生じないようにしたものに関する。
【０００２】
【従来の技術】
近年、携帯用音響機器の発達に伴いヘッドホンが屋外でも多く用いられるようになった。このヘッドホンを携帯する場合、厄介なのが入力コードの処理である。先例としてはイヤホン付きのラジオにおいてイヤホンの入力コードを巻き取る巻き取り装置を内蔵したものがあり、コードがぜんまいばねの力でケース内部に向けて巻き取られるように付勢されていて、巻き取り方向のみを係止するための係止手段があり、イヤホンの使用時にはこの係止手段に抗してコードを必要な長さに引き出して使用し、収納するときは、この係止手段を解除するボタンを押せばぜんまいばねの力によってコードが巻き取られるというものであった。
【０００３】
【発明が解決しようとする課題】
しかしこのような手段をそのままヘッドホンのハウジングに適用すると問題がある。というのは、ヘッドホンを耳に装着したまま、ハウジング内に入力コードを巻き取ろうとして、係止手段を解除すると、巻き取り装置の巻き取りの勢いが強いと、末端の入力プラグが引き込まれるときに勢い余って入力プラグが、顔や目に当たりけがをするおそれがある。
【０００４】
これを防ぐ手段として、本願発明者等は、先に、ヘッドホンを頭からはずして、ヘッドバンドを折り曲げないと係止手段の係止が解除できないという手段を提案した。しかしながら、最近はヘッドバンドを用いない耳掛け式のヘッドホンが多く用いられるようになり、上記提案の構成を適用できないものがある。
【０００５】
本発明は、このような耳掛け式のようにヘッドバンドを用いない形式のものにも適用でき、入力コードの巻き取り時にもけがをするおそれのないコード巻き取り装置付きヘッドホンを提供しようとするものである。
【０００６】
【課題を解決するための手段】
この課題を達成するための本発明のコード巻き取り装置付きヘッドホンは、電気−音響変換素子を内蔵したハウジングと、一端が前記電気−音響変換素子に接続され他端が入力プラグに接続された入力コードと、前記ハウジングに内蔵され前記入力コードを前記ハウジング内部に巻き取るように付勢した巻き取り手段と、前記巻き取り手段に併設され前記入力コードの前記巻き取り手段からの引き出しを許容しかつ前記巻き取り手段による前記入力コードの前記ハウジング内部への巻き取りを防ぐように係止する係止手段と、前記入力コードの入力プラグを保持する保持手段とを備え、前記保持手段に前記入力コードの入力プラグを保持させるべく挿入する動作に連動して前記係止手段を解除することによって前記巻き取り手段が前記入力コードを前記ハウジング内部に巻き取るように構成したことを特徴とするものである。
【０００７】
この構成によって、入力コードを巻き取る際に入力プラグを保持手段に保持させると、巻き取り手段が入力コードをハウジング内部に巻き取るように付勢しているのを阻止するように係止している係止手段を解除するので、入力コードは巻き取り手段に巻き取られるが、入力プラグが先に保持手段に保持されているので、入力プラグが入力コードにつられて引き込むことはなく、人体に当接しないように作用する。
【０００８】
【発明の実施の形態】
以下、図面に基づいて本発明の一実施形態について説明する。図１は本発明の一実施形態のコード巻き取り装置付きヘッドホンの外観図、図２は同じくそのコードの巻き取りを終わった所の外観図、図３は同じく内部構造を見た平面図、図４は図３の状態から入力プラグを保持手段に挿入して係止手段を解除している状態を示す平面図、図５（ａ）は同じくその巻き取り手段を内蔵する側のハウジング部分の断面図、同図（ｂ）はその部分拡大断面図、図６は同じくそのハウジング部分の斜視図、図７は同じくそのハウジング部分を耳に装着しようとするときの斜視図、図８は同じくこのヘッドホンを装着した状態を示す斜視図である。
【０００９】
各図においてヘッドホンは前部ハウジング１と後部ハウジング２で筐体を構成し、前部ハウジング１には電気−音響変換素子であるスピーカユニット３が取り付けられ前部ハウジング１のスピーカユニット３の前面にはスピーカユニット３から発生する音圧を放射する音孔１ａが設けられている。前部ハウジングの前面は耳に当接するので、たとえば気泡が連続するように形成した発泡ポリウレタンや布等の、音を透過させながら肌に優しい材料でできたイヤーパッド４を設けている。
【００１０】
まず、ヘッドホンとしての構成を先に説明すると、後部ハウジング２の周辺には２個の支軸部５が設けられこの支軸部５から内方に支軸５ａが突出しこの支軸５ａにばね６が掛けられ、支軸５ａにその図示しない軸孔を嵌合させ回動自在とした耳掛け７が、先端７ａが常に前部ハウジング１側に付勢されるように前記ばね６で付勢されている。耳掛け７は支軸５ａに対して先端７ａの反対側は押圧部７ｂとなっており、ここに滑り止め７ｃを設け、この部分を指で押圧することにより先端７ａが図７のように前部ハウジング１から離れるように動く。
【００１１】
通常、ヘッドホンは左右の耳に装着されるので、図１のように音響機器に接続される接続端子８ａを有する入力プラグ８から入力コード９が一方の筐体、たとえば左耳用の筐体（イ）に引き込まれ、スピーカユニット３に接続され、入力コードの複数のリード線のうち他方のスピーカに接続されるリード線は渡りコード１０で他方の筐体（ロ）に引き込まれる。この渡りコード１０には束ねて自由になる長さを調節するスライダ１１が摺動自在に保持されている。
【００１２】
ここで巻き取り手段の説明にはいる。入力コード９が最初に引き込まれる側の筐体（イ）には、前部ハウジング１に基板１２がこの例では３個の孔１２ａでビス等で固定されている。基板１２の中心には回転軸１３の一端がかしめられて固定され、回転軸１３にはリール１４が回転自在に挿嵌され、リール１４と回転軸１３とに両端を固定されたぜんまいばね１５がリール１４の凹所１４ａに納められ、このぜんまいばね１５は押さえ板１６によって飛び出さないように押さえられ、回転軸１３の他端で押さえ板１６の上からＥリング１３ａで抜け止めがなされている。基板１２のリール１４側の面には例として３個の突起１２ｂが設けられ、リールが回転するときに基板１２と点接触することによって摩擦を減少させるようになっている。
【００１３】
リール１４の側面には、このリール１４に巻き取られた入力コード９の基端において、その入力コード９のＬチャンネルのリード線９ａ、共通リード線９ｂ、Ｒチャンネルのリード線９ｃがそれぞれ電気的に接続された弾性金属板よりなるブラシ１８ａ，１８ｂ，１８ｃが、同心状に取り付けられている。一方、基板１２に取り付けられた端子基板１７には、ブラシ１８ａ，１８ｂ，１８ｃに対応する金属集電リング１９ａ，１９ｂ，１９ｃが設けられ、そのブラシ１８ａ，１８ｂ，１８ｃが圧接されるようになっている。したがって、リール１４が回転しても、入力コード９を経由して入力された音声信号は、接触摺動によりとぎれることなく端子基板１７に伝達され、端子基板１７から、リード線１７ａ，１７ｂを介してスピーカユニット３の端子板３ａの端子３ｂ，３ｃに伝達されるように構成している。入力コードの各リード線のうち、他方の筐体内（この場合は右耳用）のスピーカユニットへは、共通リード線９ｂ及びＲチャンネルのリード線９ｃが、これらと電気的に接続されたリード線１７ｃ，１７ｄを介し、これを束ねる渡りコード１０を経由して接続されるようになっている。
【００１４】
ここでは巻き取り手段は前部ハウジング１側に設けるように説明したが、後部ハウジング２側に設けても何ら差し支えない。
【００１５】
つぎに係止手段について説明する。リール１４の２枚のフランジのうち基板１２側のフランジ１４ｂの外周は鋸歯状に凹凸が繰り返され、段落部１４ｃが円周を整数分割、この例では４分割して４個設けられている。基板１２の突出部１２ｃには軸２０が植立され、この軸２０には係止片２１が回動自由に取り付けられている。この係止片２１は、入力プラグ８の接続端子８ａの先端が当接すべき作動部２１ａが突出し、また係止部２１ｂがリール１４のフランジ１４ｂの外周に当接する位置に設けられ、引掛け部２１ｃから基板１２の引掛け部１２ｄに掛けたコイルスプリング２２によって図３における反時計方向に付勢され、係止部２１ｂがフランジ１４ｂの外周に常時圧接されるように構成されている。
【００１６】
また保持手段としては、後部ハウジング２の突出部２ａに挿入口２ｂを設け、ここから入力プラグ２の接続端子８ａが挿入され、その先端近傍の小径部８ｂが保持ばね板２３の突出部で保持できるようになっている。
【００１７】
以上のような構成において、次に、その動作の説明を行う。図７のように耳掛け７の押圧部７ｂを押すと耳掛け７の先端７ａが前部ハウジング１から離れるので、これを耳介の後部に引っ掛けて装着する。渡りコード１０のスライダ１１を上下に摺動させて図８のように渡りコード１１のたるみをなくす。ついで入力コード９を図３における矢印Ａ方向に引き出すと、それにつれてリール１４が矢印Ｂ方向に回動する。このとき係止片２１の係止部２１ｂがコイルスプリング２２の張力によってフランジ１４ｂの外周に圧接しているので、係止部２１ｂが段落部１４ｃに落ち込みながら、かつ、ぜんまいばね１５の復元力に抗しながら回動する。長さが適当になったときに入力コード９の引き出しを停止すれば、ぜんまいばね１５の復元力によりリール１４は矢印Ｂとは逆方向に戻されるが、係止部２１ｂが段落部１４ｃに落ち込んだところで係止されて停止する。そこで携帯用音響機器２４の出力端子であるジャックに入力プラグ８の接続端子８ａを挿入して聴取すればよい。
【００１８】
使用を終わって、入力コード９を収納しようとするときは、図４のように挿入口２ｂから入力プラグ８の接続端子８ａを挿入する。すると接続端子８ａが作動部２１ａに当接することで、係止片２１が図４においてコイルスプリング２２の張力に抗して時計方向に回動し、係止部２１ｂがフランジ１４ｂの段落部１４ｃから離れるので、リール１４は自由に回動でき、ぜんまいばね１５の復元力により矢印Ｃ方向に回動して入力コード９を巻き取る。この際、入力プラグ８は挿入口２ｂに挿入され、その先端近傍の小径部８ｂ保持ばね板２３に保持されているので、入力プラグ８が入力コード９につられて勢いよく引き込むことはなく、顔や目やその他ヘッドホン近辺の人体に当接することがない。ここでは保持手段に保持ばね板２３を設けたが、図４のような位置関係であれば、巻き取られた入力コード９の張力の方向がプラグ８の接続端子８ａが挿入口２ｂから抜け出ない方向となるので、保持ばね板２３がなくとも保持は可能である。
【００１９】
なお、ここでは両耳に装着する場合を例示したが、片耳だけの場合にも適用できるのは当然である。
【００２０】
またヘッドホンとしての構成は一例であり、たとえばヘッドバンドを用いたヘッドホンなどにも容易に適用できるものである。
【００２１】
さらにこの例ではリール１４のフランジ１４ｂに鋸歯状の凹凸を設けるように説明したが、フランジとは別の部品を用いてもよい。また鋸歯状の凹凸は外周方向に向けて繰り返されるような例を説明したが、フランジ１４の側面から直角方向に突出するように形成し、係止片２１の回動方向もそれに対応させたものとしてもよいというように細部の構成は自由に設定できる。
【００２２】
【発明の効果】
以上説明したように本発明のコード巻き取り装置付きヘッドホンによれば、ハウジングに内蔵され入力コードをハウジング内部に巻き取るように付勢した巻き取り手段と、巻き取り手段に併設され前記入力コードの前記巻き取り手段からの引き出しを許容しかつ巻き取り手段による入力コードのハウジング内部への巻き取りを防ぐように係止する係止手段と、入力コードの入力プラグを保持する保持手段とを備え、保持手段に入力コードの入力プラグを保持させるべく挿入する動作に連動して係止手段を解除することによって巻き取り手段が入力コードをハウジング内部に巻き取るので、入力コードの巻き取りが容易であり、巻き取り時に勢い余った入力プラグが人体を傷つけることがなく、安全に配慮したヘッドホンを提供できるという有利な効果が得られる。
【図面の簡単な説明】
【図１】本発明の一実施形態のコード巻き取り装置付きヘッドホンの外観図
【図２】同じくそのコードの巻き取りを終わった所の外観図
【図３】同じく内部構造を見た平面図
【図４】図３の状態から入力プラグを保持手段に挿入して係止手段を解除している状態を示す平面図
【図５】（ａ）同じくその巻き取り手段を内蔵する側のハウジング部分の断面図
（ｂ）その部分拡大断面図
【図６】同じくそのハウジング部分の斜視図
【図７】同じくそのハウジング部分を耳に装着しようとするときの斜視図
【図８】同じくこのヘッドホンを装着した状態を示す斜視図
【符号の説明】
１  前部ハウジング
２  後部ハウジング
２ｂ  挿入口
３  スピーカユニット
５  支軸部
５ａ  支軸
６  ばね
７  耳掛け
８  入力プラグ
８ａ  接続端子
９  入力コード
１０  渡りコード
１１  スライダ
１２  基板
１３  回転軸
１４  リール
１４ｂ  フランジ
１４ｃ  段落部
１５  ぜんまいばね
１７  端子基板
１８ａ，１８ｂ，１８ｃ  ブラシ
１９ａ，１９ｂ，１９ｃ  金属集電リング
２１  係止片
２１ａ  作動部
２１ｂ  係止部
２１ｃ  引掛け部
２２  コイルスプリング
２３  保持ばね
【図１】
0004310893.tif 000002
【図２】
0004310893.tif 000003
【図３】
0004310893.tif 000004
【図４】
0004310893.tif 000005
【図５】
0004310893.tif 000006
【図６】
0004310893.tif 000007
【図７】
0004310893.tif 000008
【図８】
0004310893.tif 000009